【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
ワークを並設されているワイヤ列で放電加工するために、前記ワイヤ列とワークとの極間に、給電子１個により、前記放電加工に必要な電流を供給する電源パルスと放電を誘発する副電源パルスとをそれぞれ異なるタイミングで、かつ、前記ワイヤ列中の複数本のワイヤに対して一括で印加する電源装置であって、
前記ワイヤ列とワークとの前記極間の電圧を取得する取得手段と、
前記取得した前記極間の電圧に応じて前記ワイヤ列とワークとの前記極間の距離を調整する調整手段と、
を備え、
前記距離を調整するための前記極間の電圧を、先に前記副電源パルスの印加が開始されてから前記電源パルスの印加が開始されるまでの間に取得することを特徴とする電源装置。
【請求項２】
当該副電源パルスの印加が開始されてから前記電源パルスの印加が開始されるまでの所定間隔の前記極間における電圧を取得する取得パルスを生成する生成手段をさらに備え、
前記生成した取得パルスの所定間隔に同期して、前記取得手段が前記極間における電圧を取得することを特徴とする請求項１に記載の電源装置。
【請求項３】
前記副パルス印加手段が前記副電源パルスの印加を開始してから前記電源パルス印加手段が前記電源パルスの印加を開始するまでの時間を０．３μ秒以上遅延させて、前記電源パルス印加手段が前記電源パルスの印加を開始することを特徴とする請求項１または請求項２に記載の電源装置。
【請求項４】
前記副パルス印加手段が前記副電源パルスを０．３μ秒以上印加することを特徴とする請求項１乃至請求項３のいずれか１項に記載の電源装置。
【請求項５】
前記給電子１個から、前記ワイヤ列に一括で前記電源パルスを供給する加工電源をさらに備え、
前記加工電源から供給される前記放電加工に必要な電流を制限する抵抗が、０．１Ω以下であることを特徴とする請求項１乃至請求項４のいずれか１項に記載の電源装置。
【請求項６】
前記給電子１個から、前記ワイヤ列に一括で前記副電源パルスを供給する副電源をさらに備え、
前記副電源から供給される電流を制限する抵抗は０．５Ω以上であることを特徴とする請求項１乃至請求項５のいずれか１項に記載の電源装置。
【請求項７】
ワークを並設されているワイヤ列で放電加工するために、前記ワイヤ列とワークとの極間に、給電子１個により、前記放電加工に必要な電流を供給する電源パルスと放電を誘発する副電源パルスとをそれぞれ異なるタイミングで、かつ、前記ワイヤ列中の複数本のワイヤに対して一括で印加するワイヤ放電加工装置であって、
前記ワイヤ列とワークとの前記極間の電圧を取得する取得手段と、
前記取得した前記極間の電圧に応じて前記ワイヤ列とワークとの前記極間の距離を調整する調整手段と、
を備え、
前記距離を調整するための前記極間の電圧を、先に前記副電源パルスの印加が開始されてから前記電源パルスの印加が開始されるまでの間に取得することを特徴とするワイヤ放電加工装置。
【請求項８】
ワークを並設されているワイヤ列で放電加工するために、前記ワイヤ列とワークとの極間に、給電子１個により、前記放電加工に必要な電流を供給する電源パルスと放電を誘発する副電源パルスとをそれぞれ異なるタイミングで、かつ、前記ワイヤ列中の複数本のワイヤに対して一括で印加する電源装置における制御方法であって、
前記ワイヤ列とワークとの前記極間の電圧を取得する取得工程と、
前記取得した前記極間の電圧に応じて前記ワイヤ列とワークとの前記極間の距離を調整する調整工程と、
を含み、
前記距離を調整するための前記極間の電圧を、先に前記副電源パルスの印加が開始されてから前記電源パルスの印加が開始されるまでの間に取得することを特徴とする制御方法。
【請求項９】
ワークを並設されているワイヤ列で放電加工するために、前記ワイヤ列とワークとの極間に、給電子１個により、前記放電加工に必要な電流を供給する電源パルスと放電を誘発する副電源パルスとをそれぞれ異なるタイミングで、かつ、前記ワイヤ列中の複数本のワイヤに対して一括で印加するワイヤ放電加工装置における制御方法であって、
前記ワイヤ列とワークとの前記極間の電圧を取得する取得工程と、
前記取得した前記極間の電圧に応じて前記ワイヤ列とワークとの前記極間の距離を調整する調整工程と、
を含み、
前記距離を調整するための前記極間の電圧を、先に前記副電源パルスの印加が開始されてから前記電源パルスの印加が開始されるまでの間に取得することを特徴とする制御方法。
【請求項１０】
ワークを並設されているワイヤ列で放電加工するために、前記ワイヤ列とワークとの極間に、給電子１個により、前記放電加工に必要な電流を供給する電源パルスと放電を誘発する副電源パルスとをそれぞれ異なるタイミングで、かつ、前記ワイヤ列中の複数本のワイヤに対して一括で印加する電源装置において読み取り実行可能なプログラムであって、
前記電源装置を、
前記ワイヤ列とワークとの前記極間の電圧を取得する取得手段と、
前記取得した前記極間の電圧に応じて前記ワイヤ列とワークとの前記極間の距離を調整する調整手段と、
して機能させ、
前記距離を調整するための前記極間の電圧を、先に前記副電源パルスの印加が開始されてから前記電源パルスの印加が開始されるまでの間に取得することを特徴とするプログラム。
【請求項１１】
ワークを並設されているワイヤ列で放電加工するために、前記ワイヤ列とワークとの極間に、給電子１個により、前記放電加工に必要な電流を供給する電源パルスと放電を誘発する副電源パルスとをそれぞれ異なるタイミングで、かつ、前記ワイヤ列中の複数本のワイヤに対して一括で印加するワイヤ放電加工装置において読み取り実行可能なプログラムであって、
前記ワイヤ放電加工装置を、
前記ワイヤ列とワークとの前記極間の電圧を取得する取得手段と、
前記取得した前記極間の電圧に応じて前記ワイヤ列とワークとの前記極間の距離を調整する調整手段と、
して機能させ、
前記距離を調整するための前記極間の電圧を、先に前記副電源パルスの印加が開始されてから前記電源パルスの印加が開始されるまでの間に取得することを特徴とするプログラム。
【手続補正２】
【補正対象書類名】明細書
【補正対象項目名】発明の名称
【補正方法】変更
【補正の内容】
【発明の名称】電源装置、ワイヤ放電加工装置、その制御方法およびプログラム
【手続補正３】
【補正対象書類名】明細書
【補正対象項目名】０００１
【補正方法】変更
【補正の内容】
【０００１】
本願発明は、電源装置、ワイヤ放電加工装置、その制御方法およびプログラムの技術に関する。
【手続補正４】
【補正対象書類名】明細書
【補正対象項目名】０００５
【補正方法】変更
【補正の内容】
【０００５】
しかしながら特許文献１には、電源の設定条件によっては、給電するワイヤの本数が多くなるとワーク送り制御に利用するための電圧が取得しづらくなってしまうという問題を解決する方法に関しては何ら開示されていない。
本発明は、ワーク送り制御に利用する情報をより確実に取得することができる仕組みを提供することを目的とする。
【手続補正５】
【補正対象書類名】明細書
【補正対象項目名】０００６
【補正方法】変更
【補正の内容】
【０００６】
本願発明は、ワークを並設されているワイヤ列で放電加工するために、前記ワイヤ列とワークとの極間に、給電子１個により、前記放電加工に必要な電流を供給する電源パルスと放電を誘発する副電源パルスとをそれぞれ異なるタイミングで、かつ、前記ワイヤ列中の複数本のワイヤに対して一括で印加する電源装置であって、
前記ワイヤ列とワークとの前記極間の電圧を取得する取得手段と、
前記取得した前記極間の電圧に応じて前記ワイヤ列とワークとの前記極間の距離を調整する調整手段と、を備え、前記距離を調整するための前記極間の電圧を、先に前記副電源パルスの印加が開始されてから前記電源パルスの印加が開始されるまでの間に取得することを特徴とする。
【手続補正６】
【補正対象書類名】明細書
【補正対象項目名】０００７
【補正方法】変更
【補正の内容】
【０００７】
また、当該副電源パルスの印加が開始されてから前記電源パルスの印加が開始されるまでの所定間隔の前記極間における電圧を取得する取得パルスを生成する生成手段をさらに備え、前記生成した取得パルスの所定間隔に同期して、前記取得手段が前記極間における電圧を取得することを特徴とする。
また、前記副パルス印加手段が前記副電源パルスの印加を開始してから前記電源パルス印加手段が前記電源パルスの印加を開始するまでの時間を０．３μ秒以上遅延させて、前記電源パルス印加手段が前記電源パルスの印加を開始することを特徴とする。
また、前記副パルス印加手段が前記副電源パルスを０．３μ秒以上印加することを特徴とする。
【手続補正７】
【補正対象書類名】明細書
【補正対象項目名】０００８
【補正方法】変更
【補正の内容】
【０００８】
また、前記給電子１個から、前記ワイヤ列に一括で前記電源パルスを供給する加工電源をさらに備え、前記加工電源から供給される前記放電加工に必要な電流を制限する抵抗が、０．１Ω以下であることを特徴とする。
また、前記給電子１個から、前記ワイヤ列に一括で前記副電源パルスを供給する副電源をさらに備え、前記副電源から供給される電流を制限する抵抗は０．５Ω以上であることを特徴とする。